(57)【要約】【課題】安定して絶縁距離を確保できるコネクタユニットを提供する。【解決手段】複数のプラグ側端子４２およびプラグ側ハウジング５１からなるプラグ型コネクタ４０と、複数のソケット側端子１２およびソケット側ハウジング２１からなるソケット型コネクタ１０と、を備え、ソケット側ハウジング２１には複数の仕切壁２５が配設され、前後方向に隣り合う仕切壁２５の間にプラグ側端子４２が挿入されてソケット側端子１２に接触するコネクタユニットであって、仕切壁２５は、ソケット側ハウジング２１の下側で左右方向の内側への突出量を大きくした規制部２５ａを有し、プラグ側ハウジング５１は、仕切壁２５に対応して下側で左右方向に狭まる形状に設けられ、プラグ側端子４２は、プラグ側ハウジング５１に固設され、プラグ側ハウジング５１の側面または下面から左右方向の外側に突出している突出部４５を備える。【選択図】図４
2016162605.tif 000002
【特許請求の範囲】
【請求項１】
前後方向に並んで配置され上側基端部から左右方向に延設され下側に凸となる凸曲部を有する複数のプラグ側端子および複数の前記プラグ側端子を保持するプラグ側ハウジングからなるプラグ型コネクタと、
前後方向に並んで配置され下側基端部から左右方向に延設され上側に凹となり前記凸曲部を弾性挟持する凹曲部を有する複数のソケット側端子および複数の前記ソケット側端子を保持するソケット側ハウジングからなり、前記プラグ型コネクタの下側に配置されるソケット型コネクタと、を備え、
前記ソケット側ハウジングには、前記ソケット側端子の前後を挟むように前後方向に並んで配置された複数の仕切壁が配設され、
前記プラグ型コネクタを前記ソケット型コネクタに差し込んだときに、前後方向に隣り合う前記仕切壁の間に前記プラグ側端子が挿入されて前記ソケット側端子に接触するコネクタユニットであって、
前記仕切壁は、前記ソケット側ハウジングの下側で左右方向の内側への突出量を大きくした規制部を有し、
前記プラグ側ハウジングは、前記仕切壁に対応して下側で左右方向に狭まる形状に設けられ、
前記プラグ側端子は、前記プラグ側ハウジングに固設され、前記プラグ側ハウジングの側面または下面から左右方向の外側に突出している突出部を備えることを特徴とするコネクタユニット。
【請求項２】
前記プラグ側端子の前記突出部は、前記ソケット側端子に接触する当接面と、前記当接面の前後方向で面取りされた傾斜面と、前記当接面の下側で前記規制部によって前後方向への移動が規制される規制面と、を有することを特徴とする請求項１に記載のコネクタユニット。
【請求項３】
前記ソケット側端子は、複数の前記仕切壁の間で前記凹曲部が左右方向に弾性変形可能に配置され、
前記凹曲部の左右方向の少なくとも一方側が前記プラグ側端子の前記当接面と当接する弾接面を有し、
前記弾接面の前後を挟む前記仕切壁は、前記弾接面の左右方向の位置より内側に突出していることを特徴とする請求項２に記載のコネクタユニット。
【発明の詳細な説明】
【技術分野】
【０００１】
本発明は、基板同士を回路接続するためのコネクタユニットに関する。
【背景技術】
【０００２】
プリント配線基板に形成された複数の通電部と、他のプリント配線基板などに形成された複数の通電部と、を電気的に接続するために、対面接合型のコネクタユニットが使用されている。例えば、特許文献１に、基板同士を回路接続するための電気コネクタが開示されている。
【０００３】
図１０は、特許文献１に記載の電気コネクタ１００を示す断面図である。図１１は、電気コネクタ１００の嵌合状態を示す断面図であり、図１１（ａ）は図１０と同じ位置での嵌合状態を示す断面図、図１１（ｂ）は図１１（ａ）のＢ−Ｂ線で切断した部分断面図である。
【０００４】
一方のコネクタ１２２は、凹部１２４が中央部分に形成された箱状のハウジング１２５と、凹部１２４を挟んで端子配列方向に千鳥状に配列された端子１２６とから構成されている。端子１２６はハウジング１２５の側壁１２７の内面側に形成された所要数のＨ型溝１２８に取付け可能となっている。また、Ｈ型溝１２８に端子１２６を取付けた状態で、図１１（ｂ）に示すように、側壁１２７の内面側に段差部１３３が形成されるようになっている。
【０００５】
他方のコネクタ１２３は、凹部１２４に遊嵌可能なハウジング１３４と、端子配列方向に並列に配列された所要数の端子１３５とから構成され、端子１３５の配列はそれぞれ端子１２６の配列に対応し、隣接する各端子間では左右の向きがそれぞれ反対になっている。端子１３５は、一方の端部から他方の端部に向かって波状に複数回（図１０では３回）湾曲して形成された可動部１４２と、他方の端部においてハウジング１３４の側壁１３９から先端部１４４が突出するように形成された接触部１４５とを備えている。ハウジング１３４には、図１１（ｂ）に示されているように、その幅方向に渡って偏平な空間１３６が端子１３５と同数、並列に形成され、空間１３６の端子配列方向の長さは端子１３５の厚みより大きくなっている。
【０００６】
可動部１４２が他方のコネクタ１２３の幅方向に渡って設けられているので、他方のコネクタ１２３の幅方向の嵌合誤差吸収量を十分に確保することができ、一方のコネクタ１２２と他方のコネクタ１２３との嵌合時の幅方向の嵌合誤差は確実に吸収される。また、一方のコネクタ１２２側のハウジング１２５の側壁１２７に他方のコネクタ１２３側のハウジング１３４の側壁１３９が当接することにより、その幅方向の動きは規制される。
【０００７】
両コネクタ１２２、１２３の嵌合時の端子配列方向の嵌合誤差は、図１１（ｂ）に示されているように、接触部１３２の端子配列方向の接触領域が接触部１４５より広いため、確実に吸収される。したがって、他方のコネクタ１２３が一方のコネクタ１２２に対して端子配列方向にずれていたとしても、ずれたままで両コネクタ１２２、１２３間の嵌合誤差吸収量を確保することができる。また、一方のコネクタ１２２側のハウジング１２５の側壁１２７に他方のコネクタ１２３側のハウジング１３４の側壁１３９が当接することにより、その端子配列方向の動きは規制される。
【先行技術文献】
【特許文献】
【０００８】
【特許文献１】特開２００３−３２３９２５号公報
【発明の概要】
【発明が解決しようとする課題】
【０００９】
しかしながら、ハウジング１３４の側壁１３９は、凹部１２４に遊嵌可能な寸法であるため、ハウジング１２５の側壁１２７に対して平行な状態で理想的に挿入されるとは限らず、ほとんどの場合において、遊嵌可能な寸法差で斜めに挿入されることになる。図１２は、コネクタ１２３が斜めに挿入された最悪の場合を示す説明図である。図１２に示すように、接触部１４５が接触部１３２より端子配列方向にずれて側壁１２７の段差部１３３に当接してしまい、接触部１３２との接触が不安定になったり、隣接する接触部１３２との絶縁距離が設計値よりも近づいてしまったりする虞があった。
【００１０】
本発明は、上述した課題を解決するもので、安定して絶縁距離を確保できるコネクタユニットを提供することを目的とする。
【課題を解決するための手段】
【００１１】
本発明のコネクタユニットは、前後方向に並んで配置され上側基端部から左右方向に延設され下側に凸となる凸曲部を有する複数のプラグ側端子および複数の前記プラグ側端子を保持するプラグ側ハウジングからなるプラグ型コネクタと、前後方向に並んで配置され下側基端部から左右方向に延設され上側に凹となり前記凸曲部を弾性挟持する凹曲部を有する複数のソケット側端子および複数の前記ソケット側端子を保持するソケット側ハウジングからなり、前記プラグ型コネクタの下側に配置されるソケット型コネクタと、を備え、前記ソケット側ハウジングには、前記ソケット側端子の前後を挟むように前後方向に並んで配置された複数の仕切壁が配設され、前記プラグ型コネクタを前記ソケット型コネクタに差し込んだときに、前後方向に隣り合う前記仕切壁の間に前記プラグ側端子が挿入されて前記ソケット側端子に接触するコネクタユニットであって、前記仕切壁は、前記ソケット側ハウジングの下側で左右方向の内側への突出量を大きくした規制部を有し、前記プラグ側ハウジングは、前記仕切壁に対応して下側で左右方向に狭まる形状に設けられ、前記プラグ側端子は、前記プラグ側ハウジングに固設され、前記プラグ側ハウジングの側面または下面から左右方向の外側に突出している突出部を備えることを特徴とする。
【００１２】
この構成によれば、プラグ側ハウジングは、ソケット側ハウジングの仕切壁に対応した形状に設けられているので、斜めに差し込まれることなく挿入される。また、プラグ側端子は、プラグ側ハウジングに固設され左右方向に突出した突出部を備えているので、前後方向に隣り合う仕切壁の間へ案内され、位置決めされやすくなる。さらに、挿入された状態では規制部によってプラグ側端子の前後方向への移動が規制されるので、隣接するプラグ側端子との絶縁距離を確保することができる。
【００１３】
また、本発明のコネクタユニットにおいて、前記プラグ側端子の前記突出部は、前記ソケット側端子に接触する当接面と、前記当接面の前後方向で面取りされた傾斜面と、前記当接面の下側で前記規制部によって前後方向への移動が規制される規制面と、を有することを特徴とする。
【００１４】
この構成によれば、プラグ側端子の突出部は、当接面の前後方向で面取りされた傾斜面を有しているので、プラグ型コネクタをソケット型コネクタに差し込むときに、より位置決めされやすくなる。さらに、規制部の位置まで挿入された状態では、規制面が前後方向への移動を規制されているので、より確実に絶縁距離を確保することができる。
【００１５】
また、本発明のコネクタユニットにおいて、前記ソケット側端子は、複数の前記仕切壁の間で前記凹曲部が左右方向に弾性変形可能に配置され、前記凹曲部の左右方向の少なくとも一方側が前記プラグ側端子の前記当接面と当接する弾接面を有し、前記弾接面の前後を挟む前記仕切壁は、前記弾接面の左右方向の位置より内側に突出していることを特徴とする。
【００１６】
この構成によれば、仕切壁がソケット側端子より内側に突出していても、プラグ側端子の当接面は仕切壁の間で凹曲部の弾接面と弾性的に接触するので、ソケット側端子とプラグ側端子との電気的接続が安定している。また、プラグ側端子の当接面が弾性変形する構成ではないので、誤って仕切壁の位置に挿入されてしまう懸念がない。
【発明の効果】
【００１７】
本発明によれば、ソケット側ハウジングには複数の仕切壁が配設され、プラグ側ハウジングはソケット側ハウジングの仕切壁に対応した形状に設けられているので、斜めに差し込まれることなく挿入される。また、プラグ側端子は突出部を備えているので、前後方向に隣り合う仕切壁の間へ案内され、位置決めされやすくなる。さらに、規制部によって、隣接するプラグ側端子との絶縁距離を確保することができる。したがって、安定して絶縁距離を確保できるコネクタユニットを提供することができる。
【図面の簡単な説明】
【００１８】
【図１】本発明の実施形態のコネクタユニットを示す斜視図である。
【図２】本発明の実施形態のコネクタユニットを示す平面図である。
【図３】本発明の実施形態のコネクタユニットを示す側面図である。
【図４】本発明の実施形態のコネクタユニットを示す説明図であり、図３（ａ）はプラグ型コネクタを斜め下方から見た斜視図であり、図３（ｂ）はソケット型コネクタを斜め上方から見た斜視図である。
【図５】図４（ａ）の部分拡大図である。
【図６】図４（ａ）のプラグ型コネクタを示す分解斜視図である。
【図７】図４（ｂ）のソケット型コネクタを示す分解斜視図である。
【図８】図２のＶＩＩＩ−ＶＩＩＩ線で切断した断面図である。
【図９】図８の断面位置における挿入直前のプラグ型コネクタおよびソケット型コネクタの断面図である。
【図１０】従来の電気コネクタを示す断面図である。
【図１１】従来の電気コネクタの嵌合状態を示す断面図であり、図１１（ａ）は図１０と同じ位置での嵌合状態を示す断面図、図１１（ｂ）は図１１（ａ）のＢ−Ｂ線で切断した部分断面図である。
【図１２】従来の電気コネクタの嵌合状態においてコネクタが斜めに挿入された最悪の場合を示す説明図である。
【発明を実施するための形態】
【００１９】
［第１実施形態］
以下、本発明の実施の形態について図面を用いて詳細に説明する。なお、分かりやすいように、図面は寸法を適宜変更している。
【００２０】
図１は、本発明の実施形態のコネクタユニット１を示す斜視図である。図２は、コネクタユニット１を示す平面図である。図３は、コネクタユニット１を示す側面図である。図４は、本発明の実施形態のコネクタユニット１を示す説明図であり、図３（ａ）はプラグ型コネクタ４０を斜め下方から見た斜視図であり、図３（ｂ）はソケット型コネクタ１０を斜め上方から見た斜視図である。図５は、図４（ａ）の部分拡大図である。図６は、図４（ａ）のプラグ型コネクタ４０を示す分解斜視図である。図７は、図４（ｂ）のソケット型コネクタ１０を示す分解斜視図である。
【００２１】
本実施形態のコネクタユニット１は、図１〜図３に示すように、プラグ型コネクタ４０と、ソケット型コネクタ１０と、を備え、プラグ型コネクタ４０をソケット型コネクタ１０に差し込んだときにプラグ側端子４２が挿入されてソケット側端子１２に接触する。
【００２２】
なお、以下の説明では、図１のＹ１−Ｙ２方向を前後方向、Ｘ１−Ｘ２方向を左右方向、Ｚ１側を上側、Ｚ２側を下側と呼称するが、これは説明を分かりやすくするためであり、コネクタユニット１の実使用状態での方向を限定するものではない。
【００２３】
プラグ型コネクタ４０は、図４（ａ）および図５〜図６に示すように、複数のプラグ側端子４２と、複数のプラグ側端子４２を保持するプラグ側ハウジング５１と、プラグ側ハウジング５１の前後方向両端に埋め込まれたプラグ側補助金具４８からなる。
【００２４】
プラグ側ハウジング５１は、合成樹脂を前後方向に細長い略直方体に成形したものである。本実施形態では、インサート成形によって成形されている。
【００２５】
複数のプラグ側端子４２は、導電性の金属板から加工され、図６に示すように、前後方向に並んで配置され、上側基端部４２ｃから交互に左方向または右方向に延設され下側に凸となる凸曲部４２ａを有する。それぞれのプラグ側端子４２は、インサート成形によってプラグ側ハウジング５１に固設され、凸曲部４２ａの前後方向と内側がプラグ側ハウジング５１に固着されている。
【００２６】
本実施形態では、それぞれのプラグ側端子４２は、図４（ａ）および図５に示すように、プラグ側ハウジング５１の側面から左方向または右方向の外側に突出している突出部４５を備えている。
【００２７】
プラグ側補助金具４８は、プラグ側端子４２と同じ金属板から加工され、プラグ側端子４２とともにインサート成形によってプラグ側ハウジング５１に固設されている。プラグ側補助金具４８は、図示しない回路基板への接続等に利用される。
【００２８】
ソケット型コネクタ１０は、図１〜図３に示すように、プラグ型コネクタ４０の下側に配置され、プラグ型コネクタ４０と嵌合可能となっている。ソケット型コネクタ１０は、図１および図４（ｂ）に示すように、複数のソケット側端子１２と、複数のソケット側端子１２を保持するソケット側ハウジング２１と、ソケット側ハウジング２１の前後方向両端に係止されたソケット側補助金具１８からなる。複数のソケット側端子１２は、導電性の金属板から加工されている。また、ソケット側補助金具１８は、金属板から加工され、図示しない回路基板への接続等に利用される。
【００２９】
ソケット側ハウジング２１は、合成樹脂を前後方向に細長い略直方体に成形したものである。ソケット側ハウジング２１には、図４（ｂ）および図７に示すように、前後方向に並んで配置された複数の溝部２１ａと複数の仕切壁２５が配設されている。
【００３０】
複数の仕切壁２５は、図７に示すように、下側に規制部２５ａを有している。規制部２５ａは、ソケット側ハウジング２１の下側で左右方向の内側への突出量を大きくするように設けられている。
【００３１】
複数の溝部２１ａは、ソケット側ハウジング２１の下側に貫通するように形成されており、下側からソケット側端子１２が圧入可能な形状になっている。
【００３２】
複数のソケット側端子１２は、図７に示すように、前後方向に並んで配置され、下側基端部１２ｆから交互に左方向または右方向に延設され上側に凹となる凹曲部１２ｃを有する。それぞれのソケット側端子１２は、ソケット側ハウジング２１に形成された複数の仕切壁２５の間で凹曲部１２ｃが左右方向に弾性変形可能に配置され、溝部２１ａに挿入されている。別の言い方をすれば、ソケット側ハウジング２１には、溝部２１ａ内に配置されたソケット側端子１２の前後を挟むように、前後方向に並んで配置された複数の仕切壁２５が配設されている。
【００３３】
本実施形態では、それぞれのソケット側端子１２は、溝部２１ａに圧入される寸法に形成された幅広部１２ｄを下側基端部１２ｆ側に備えている。さらに、この幅広部１２ｄから延在する屈曲部１２ｅを備え、屈曲部１２ｅから延在するようにして左右方向に凹曲部１２ｃが配置されている。凹曲部１２ｃは、ソケット側ハウジング２１の溝部２１ａ内で仕切壁２５と隙間を有して配置され、弾性変形可能になっている。ソケット側端子１２は、凹曲部１２ｃの左右方向の一方側が弾接面１２ａになっている。凹曲部１２ｃは、後述するように、プラグ側端子４２の凸曲部４２ａを弾性挟持する部分である。弾接面１２ａは、後述するように、プラグ型コネクタ４０のプラグ側端子４２における当接面４５ａと当接する面である。
【００３４】
次に、本実施形態のコネクタユニット１において、プラグ型コネクタ４０をソケット型コネクタ１０に差し込んで、プラグ側端子４２が挿入されてソケット側端子１２に接触する際の作用について説明する。
【００３５】
図８は、図２のＶＩＩＩ−ＶＩＩＩ線で切断した断面図である。図９は、図８の断面位置における挿入直前のプラグ型コネクタ４０およびソケット型コネクタ１０の断面図である。
【００３６】
図８に示すように、仕切壁２５は、ソケット側ハウジング２１の下側で左右方向の内側への突出量を大きくした規制部２５ａを有している。この断面位置におけるソケット側ハウジング２１は、規制部２５ａを有する仕切壁２５の断面形状に対応して、下側で左右方向に狭まる形状に設けられている。
【００３７】
一方、プラグ側端子４２は、プラグ側ハウジング５１に固設され、図９に示すように、プラグ側ハウジング５１の側面から左右方向の外側に突出している突出部４５を備えている。プラグ側端子４２の突出部４５は、ソケット側端子１２に接触する当接面４５ａと、当接面４５ａの前後方向で面取りされた傾斜面４５ｂと、当接面４５ａの下側で規制部２５ａによって前後方向への移動が規制される規制面４５ｃと、を有している。
【００３８】
プラグ型コネクタ４０をソケット型コネクタ１０に差し込んだときには、プラグ側端子４２の当接面４５ａにソケット側端子１２の弾接面１２ａが接触するので、図８に示すように、ソケット側端子１２の凹曲部１２ｃが左右方向に弾性変形する。これにより、凹曲部１２ｃは、プラグ側端子４２の凸曲部４２ａを弾性挟持する。本実施形態では、プラグ側端子４２の突出部４５がプラグ側ハウジング５１の側面から左右方向の外側に突出しているので、ソケット側端子１２の弾接面１２ａが複数の仕切壁２５の間で左右方向の外方へ移動することになる。このため、図８に示す断面位置では、仕切壁２５によって弾接面１２ａおよび当接面４５ａの当接している位置は隠れている。言い換えれば、プラグ側端子４２の突出部４５は、複数の仕切壁２５の間にあって、前後方向への移動が規制されることになる。これにより、挿入された状態では、規制部２５ａによってプラグ側端子４２の前後方向への移動が規制されるので、隣接するプラグ側端子４２との絶縁距離を確保することができる。
【００３９】
なお、本実施形態では、突出部４５が当接面４５ａと、傾斜面４５ｂと、規制面４５ｃと、を有しているので、プラグ側端子４２が挿入されてソケット側端子１２に接触する際に、傾斜面４５ｂが複数の仕切壁２５の間で溝部２１ａ内に確実にガイドされる。このため、ソケット型コネクタ１０に対して、プラグ型コネクタ４０が斜めに挿入された場合であっても、徐々に所望の位置にガイドされていって、前後方向に隣り合う仕切壁２５の間へ突出部４５が案内され、位置決めされやすくなる。これにより、斜めに差し込まれることなく、プラグ側端子４２の突出部４５が複数の仕切壁２５の間に確実に挿入される。また、突出部４５が規制面４５ｃを有し、規制部２５ａによって前後方向への移動が規制されるので、より確実に絶縁距離を確保することができる。
【００４０】
さらに、ソケット側端子１２の凹曲部１２ｃが左右方向に弾性変形して、プラグ側端子４２の当接面４５ａが当接している弾接面１２ａの位置を外側に移動させているので、隣接するプラグ側端子４２の凸曲部４２ａとの絶縁距離を、より一層確保することができる。
【００４１】
以下、本実施形態としたことによる効果について説明する。
【００４２】
本実施形態のコネクタユニット１は、プラグ型コネクタ４０と、プラグ型コネクタ４０の下側に配置されるソケット型コネクタ１０とを備える。プラグ型コネクタ４０は、前後方向に並んで配置され上側基端部４２ｃから左右方向に延設され下側に凸となる凸曲部４２ａを有する複数のプラグ側端子４２および複数のプラグ側端子４２を保持するプラグ側ハウジング５１からなる。ソケット型コネクタ１０は、前後方向に並んで配置され下側基端部１２ｆから左右方向に延設され上側に凹となる凹曲部１２ｃを有する複数のソケット側端子１２および複数のソケット側端子１２を保持するソケット側ハウジング２１からなる。ソケット側ハウジング２１には、ソケット側端子１２の前後を挟むように前後方向に並んで配置された複数の仕切壁２５が配設されている。これにより、プラグ型コネクタ４０をソケット型コネクタ１０に差し込んだときに、前後方向に隣り合う仕切壁２５の間にプラグ側端子４２が挿入されてソケット側端子１２に接触する。この仕切壁２５は、ソケット側ハウジング２１の下側で左右方向の内側への突出量を大きくした規制部２５ａを有し、プラグ側ハウジング５１は、仕切壁２５に対応して下側で左右方向に狭まる形状に設けられている。そして、プラグ側端子４２は、プラグ側ハウジング５１に固設され、プラグ側ハウジング５１の側面から左右方向の外側に突出している突出部４５を備える。
【００４３】
この構成によれば、プラグ側ハウジング５１は、ソケット側ハウジング２１の仕切壁２５に対応した形状に設けられているので、斜めに差し込まれることなく挿入される。また、プラグ側端子４２は、プラグ側ハウジング５１に固設され左右方向に突出した突出部４５を備えているので、前後方向に隣り合う仕切壁２５の間へ案内され、位置決めされやすくなる。さらに、挿入された状態では規制部２５ａによってプラグ側端子４２の前後方向への移動が規制されるので、隣接するプラグ側端子４２との絶縁距離を確保することができる。
【００４４】
また、プラグ側端子４２の突出部４５は、ソケット側端子１２に接触する当接面４５ａと、当接面４５ａの前後方向で面取りされた傾斜面４５ｂと、当接面４５ａの下側で規制部２５ａによって前後方向への移動が規制される規制面４５ｃと、を有する。この構成によれば、プラグ側端子４２の突出部４５は、当接面４５ａの前後方向で面取りされた傾斜面４５ｂを有しているので、プラグ型コネクタ４０をソケット型コネクタ１０に差し込むときに、より位置決めされやすくなる。さらに、規制部２５ａの位置まで挿入された状態では、規制面４５ｃが前後方向への移動を規制されているので、より確実に絶縁距離を確保することができる。
【００４５】
また、ソケット側端子１２は、複数の仕切壁２５の間で凹曲部１２ｃが左右方向に弾性変形可能に配置され、凹曲部１２ｃの左右方向の少なくとも一方側がプラグ側端子４２の当接面４５ａと当接する弾接面１２ａを有している。そして、プラグ側端子４２が挿入された状態において、弾接面１２ａの前後を挟む仕切壁２５は、弾接面１２ａの左右方向の位置より内側に突出している。この構成によれば、仕切壁２５がソケット側端子１２より内側に突出していても、プラグ側端子４２の当接面４５ａは仕切壁２５の間で凹曲部１２ｃの弾接面１２ａと弾性的に接触するので、ソケット側端子１２とプラグ側端子４２との電気的接続が安定している。また、プラグ側端子４２の当接面４５ａが弾性変形する構成ではないので、誤って仕切壁２５の位置に挿入されてしまう懸念がない。
【００４６】
以上のように、本発明の実施形態のコネクタユニット１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００４７】
（１）本実施形態において、ソケット側端子１２はソケット側ハウジング２１に圧入されるとしたが、複数の仕切壁２５の間で凹曲部１２ｃが左右方向に弾性変形可能に配置されていれば、インサート成形によって形成するように変更してもよい。
【００４８】
（２）本実施形態において、突出部４５がプラグ側ハウジング５１の側面から左右方向の外側に突出しているとしたが、プラグ側ハウジング５１の形状が下側で左右方向に狭まっているので、プラグ側ハウジング５１の下面から左右方向の外側に突出していればよい。すなわち、突出部４５がプラグ側ハウジング５１の下面から左右方向の外側に突出し、その前後に規制部２５ａが配置される形状の仕切壁２５であればよい。
【００４９】
（３）本実施形態において、プラグ側ハウジング５１は、ソケット側ハウジング２１の仕切壁２５に対応した形状に設けられているが、左右方向に非対称な形状であってもよい。また、規制部２５ａおよび対応するプラグ側ハウジング５１の断面形状は、Ｕ字状に限定されるものでなく、突出部４５が左右方向の外側に突出すれば他の断面形状であってもよい。
【００５０】
（４）本実施形態において、前後方向に並んでいるソケット側端子１２およびプラグ側端子４２は、それぞれ交互に左右方向が異なる配置としたが、同一方向に揃えた配置であってもよい。なお、その場合には、プラグ側端子４２が上側基端部４２ｃ側にも同程度に外側へ突出した突出部４５を備え、これに対応してソケット型コネクタ１０が構成されていることが好ましい。
【符号の説明】
【００５１】
１      コネクタユニット
１０    ソケット型コネクタ
１２    ソケット側端子
１２ａ  弾接面
１２ｃ  凹曲部
１２ｄ  幅広部
１２ｅ  屈曲部
１２ｆ  下側基端部
１８    ソケット側補助金具
２１    ソケット側ハウジング
２１ａ  溝部
２５    仕切壁
２５ａ  規制部
４０    プラグ型コネクタ
４２    プラグ側端子
４２ａ  凸曲部
４２ｃ  上側基端部
４５    突出部
４５ａ  当接面
４５ｂ  傾斜面
４５ｃ  規制面
４８    プラグ側補助金具
５１    プラグ側ハウジング
【図１】
2016162605.tif 000003
【図２】
2016162605.tif 000004
【図３】
2016162605.tif 000005
【図４】
2016162605.tif 000006
【図５】
2016162605.tif 000007
【図６】
2016162605.tif 000008
【図７】
2016162605.tif 000009
【図８】
2016162605.tif 000010
【図９】
2016162605.tif 000011
【図１０】
2016162605.tif 000012
【図１１】
2016162605.tif 000013
【図１２】
2016162605.tif 000014